(57)【特許請求の範囲】
【請求項１】
光通信装置であって、
ファイバスタブと、
光カプラと、該光カプラに接続された光導波路と、該光導波路に接続された半導体光素子とを備えるシリコンフォトニクス素子と、
樹脂体と、
を備え、
前記ファイバスタブは、
第１基準面に沿って配列された第１部分、第２部分及び第３部分を含むホルダと、
前記ホルダによって保持された光ファイバと、
を備え、
前記第１部分は前記第２部分と前記第３部分との間に位置し、
前記ホルダの前記第１部分は、第１１端面部、前記第１１端面部の反対側の第１２端面部、並びに前記第１１端面部及び前記第１２端面部の一方から他方への第１方向に前記第１１端面部から前記第１２端面部まで延在する第１孔を有し、
前記ホルダの前記第２部分は、第２１端面部、前記第２１端面部の反対側の第２２端面部、及び前記第２１端面部から前記第２２端面部まで前記第１方向に延在する第２孔を有し、
前記第３部分は、第３１端面部、前記第３１端面部の反対側の第３２端面部、及び前記第１方向に延在する第３孔を有し、
前記第１孔、前記第２孔及び前記第３孔は、前記第１基準面に沿って配列され、
前記第１１端面部及び前記第２１端面部は、前記第１基準面に交差するように設けられ、
前記光ファイバは、前記ホルダの前記第１１端面部から前記第１孔を延在し、
前記第２部分の前記第２孔の位置において、前記第２１端面部と前記第２２端面部との間隔は、第２長さであり、前記第１部分の前記第１孔の位置において、前記第１１端面部と前記第１２端面部との間隔は、第１長さであり、前記第２長さは前記第１長さより短く、前記第３部分の前記第３孔の位置において、前記第３１端面部と前記第３２端面部との間隔は、第３長さであり、前記第３長さは前記第１長さより短く、
前記樹脂体は、前記第１１端面部と前記シリコンフォトニクス素子との間に設けられ、
前記ファイバスタブは、前記樹脂体を介して前記シリコンフォトニクス素子に固定されて、前記光カプラに光学的に結合される、光通信装置。
【請求項２】
前記第１部分は、前記第２１端面部を基準にして前記第１方向に沿って突出している、請求項１に記載された光通信装置。
【請求項３】
前記第１部分は、前記第２２端面部を基準にして前記第１方向に沿って突出している、請求項１又は請求項２に記載された光通信装置。
【請求項４】
前記第１１端面部及び前記第２１端面部は、前記第１方向に交差する第２基準面に沿って配列されて、前記ファイバスタブの第１端面を構成する、請求項１に記載された光通信装置。
【請求項５】
前記第１２端面部及び前記第２２端面部は、前記第１方向に交差する第３基準面に沿って配列されて、前記ファイバスタブの第２端面を構成する、請求項１に記載された光通信装置。
【請求項６】
前記第２孔内に位置する部分を有するガイドピンを更に備える、請求項１〜請求項５のいずれか一項に記載された光通信装置。
【請求項７】
光通信装置であって、
ファイバスタブと、
光カプラと、該光カプラに接続された光導波路と、該光導波路に接続された半導体光素子とを備えるシリコンフォトニクス素子と、
樹脂体と、
を備え、
前記ファイバスタブは、
第１基準面に沿って配列された第１部分及び第２部分を備えるホルダと、
前記ホルダによって保持された光ファイバと、
前記ホルダによって支持されたガイド部材と、
を備え、
前記第１部分は、第１１端面部、前記第１１端面部の反対側の第１２端面部、及び前記第１１端面部及び前記第１２端面部の一方から他方へ向かう第１方向に延在する第１孔を有し、
前記第２部分は、第２１端面部、前記第２１端面部の反対側の第２２端面部、及び前記第１方向に延在する第２孔を有し、
前記第１２端面部及び前記第２２端面部は、前記第１方向に交差する第３基準面に沿って配列されて、前記ファイバスタブの第２端面を構成し、
前記ガイド部材は、一端、他端、及び前記一端から前記第１方向に延在すると共に前記一端から前記他端までの区間において終端する孔を有し、
前記ガイド部材は、前記第２孔内を延在し、
前記光ファイバは、前記ホルダの前記第１１端面部から前記第１孔を延在し、
前記樹脂体は、前記第１１端面部と前記シリコンフォトニクス素子との間に設けられ、
前記ファイバスタブは、前記樹脂体を介して前記シリコンフォトニクス素子に固定されて、前記光カプラに光学的に結合される、光通信装置。
【請求項８】
前記ガイド部材は、一端、他端及び前記一端から前記他端まで延在する貫通孔を有するガイドパイプと、前記ガイドパイプの前記貫通孔内において前記貫通孔を塞いで該ガイド部材を終端させる封止部材とを含む、請求項７に記載された光通信装置。
【発明の詳細な説明】
【技術分野】
【０００１】
本発明は、ファイバスタブ、及び光通信装置に関する。
【背景技術】
【０００２】
特許文献１は、ＭＴコネクタと接続される光モジュールを開示する。
【先行技術文献】
【特許文献】
【０００３】
【特許文献１】特開２０１２−９３５３６号公報
【発明の概要】
【発明が解決しようとする課題】
【０００４】
光通信装置は、例えばピグテール型光コネクタを介して光信号の入力及び出力を行うことができる。ピグテール型光コネクタには、光通信装置に対して着脱可能であることが求められる一方で、光コネクタには、光通信装置にしっかりと固定されることも求められる。この両要求を満たすために、ピグテール型光コネクタを直接に光通信装置に固定することなく、ファイバスタブを介してピグテール型光コネクタを光通信装置に接続する。この接続形態では、ファイバスタブは、例えば接着材によって光通信装置に取り付けられる。ファイバスタブの一端面が接着材で光通信装置に固定される。
【０００５】
発明者の知見によれば、ピグテール型光コネクタを用いたアクティブ調芯によりファイバスタブの一端面を接着材で光通信装置に固定した後に、ファイバスタブの他端面に接着材が付着していた。この付着は、ファイバスタブの他端面に直接に接着材が付かないように十分に注意深い取り扱ってファイバスタブの一端面を接着材で光通信装置に固定した際にも、ファイバスタブの一端面を接着材で光通信装置に固定した後において、ファイバスタブの他端面への接着材の付着を避けることができなかった。
【０００６】
発明者の観察により、ファイバスタブの他端面への接着材の付着の機構が明らかにされた。
【０００７】
本発明の一側面は、上記の事情を鑑みて為されたものであり、一端面から他端面への樹脂の回り込みを低減できるファイバスタブを提供することを目的とする。また、本発明の別の側面は、一端面から他端面への樹脂の回り込みを低減できるファイバスタブを含む光通信装置を提供することを目的とする。
【課題を解決するための手段】
【０００８】
本発明の一側面に係るファイバスタブは、第１基準面に沿って配列された第１部分及び第２部分を含むホルダと、前記ホルダによって保持された光ファイバと、を備え、前記ホルダの前記第１部分は、第１１端面部、前記第１１端面部の反対側の第１２端面部、並びに前記第１１端面部及び前記第１２端面部の一方から他方への第１方向に前記第１１端面部から前記第１２端面部まで延在する第１孔を有し、前記ホルダの前記第２部分は、第２１端面部、前記第２１端面部の反対側の第２２端面部、及び前記第２１端面部から前記第２２端面部まで前記第１方向に延在する第２孔を有し、前記第１１端面部及び前記第２１端面部は、前記第１基準面に交差するように設けられ、前記光ファイバは、前記ホルダの前記第１１端面部から前記第１孔を延在し、前記第２部分の前記第２孔の位置において、前記第２１端面部と前記第２２端面部との間隔は、第２長さであり、前記第１部分の前記第１孔の位置において、前記第１１端面部と前記第１２端面部との間隔は、第１長さであり、前記第２長さは前記第１長さより短い。
【０００９】
本発明の別の側面に係るファイバスタブは、第１基準面に沿って配列された第１部分及び第２部分を備えるホルダと、前記ホルダによって保持された光ファイバと、前記ホルダによって保持されたガイド部材と、を備え、前記第１部分は、第１１端面部、前記第１１端面部の反対側の第１２端面部、及び前記第１１端面部及び前記第１２端面部の一方から他方へ向かう第１方向に延在する第１孔を有し、前記第２部分は、第２１端面部、前記第２１端面部の反対側の第２２端面部、及び前記第１方向に延在する第２孔を有し、前記第１１端面部及び前記第２１端面部は、前記第１方向に交差する第２基準面に沿って配列されて、前記ファイバスタブの第１端面を構成し、前記ファイバスタブの第２端面を構成し、前記ガイド部材は、一端、他端、及び前記一端から前記第１方向に延在すると共に前記一端から前記他端までの区間において終端する孔を有し、前記ガイド部材は、前記第２孔内を延在し、前記光ファイバは、前記ホルダの前記第１１端面部から前記第１孔を延在する。
【００１０】
本発明の更なる別の側面に係る光通信装置は、本発明の一側面に係るファイバスタブと、光カプラと、該光カプラに接続された光導波路と、該光導波路に接続された半導体光素子とを備えるシリコンフォトニクス素子と、前記シリコンフォトニクス素子を前記ファイバスタブに結合させる樹脂体と、を備える。
【００１１】
本発明の上記の目的および他の目的、特徴、並びに利点は、添付図面を参照して進められる本発明の好適な実施の形態の以下の詳細な記述から、より容易に明らかになる。
【発明の効果】
【００１２】
以上説明したように、本発明の一側面によれば、一端面から他端面への樹脂の回り込みを低減できるファイバスタブが提供される。また、本発明の別の側面によれば、一端面から他端面への樹脂の回り込みを低減できるファイバスタブを含む光通信装置が提供される。
【図面の簡単な説明】
【００１３】
【図１】図１は、本実施形態に係るファイバスタブのための一構造を概略的に示す図面である。
【図２】図２は、本実施形態に係るファイバスタブのための別構造を概略的に示す図面である。
【図３】図３は、図１に示されたファイバスタブの部品を示す図面である。
【図４】図４は、図２に示されたファイバスタブの部品を示す図面である。
【図５】図５は、図１に示されたファイバスタブを含み本実施形態に係る光通信装置を模式的に示す図面である。
【図６】図６は、図２に示されたファイバスタブを含み本実施形態に係る光通信装置を模式的に示す図面である。
【図７】図７は、本実施形態に係る光通信装置のための光集積素子の一例を示す平面図を示す。
【図８】図８は、本実施形態に係るファイバスタブのための更なる別構造を概略的に示す図面である。
【図９】図９は、図８に示されたファイバスタブを含み本実施形態に係る光通信装置を模式的に示す図面である。
【図１０】図１０は、本実施形態に係る光通信装置の一形態を作製する方法における主要な工程を模式的に示す図面である。
【図１１】図１１は、本実施形態に係る光通信装置の一形態を作製する方法における主要な工程を模式的に示す図面である。
【図１２】図１２は、本実施形態に係る光通信装置の別形態を作製する方法における主要な工程を模式的に示す図面である。
【図１３】図１３は、本実施形態に係る光通信装置の別形態を作製する方法における主要な工程を模式的に示す図面である。
【図１４】図１４は、本実施形態に係る光通信装置の別形態を作製する方法における主要な工程を模式的に示す図面である。
【図１５】図１５は、本実施形態に係る光通信装置の更なる別の形態を作製する方法における主要な工程を模式的に示す図面である。
【図１６】図１６は、本実施形態に係る光通信装置の更なる別の形態を作製する方法における主要な工程を模式的に示す図面である。
【発明を実施するための形態】
【００１４】
引き続きいくつかの具体例を説明する。
【００１５】
一形態に係るファイバスタブは、（ａ）第１基準面に沿って配列された第１部分及び第２部分を含むホルダと、（ｂ）前記ホルダによって保持された光ファイバと、を備え、前記ホルダの前記第１部分は、第１１端面部、前記第１１端面部の反対側の第１２端面部、並びに前記第１１端面部及び前記第１２端面部の一方から他方への第１方向に前記第１１端面部から前記第１２端面部まで延在する第１孔を有し、前記ホルダの前記第２部分は、第２１端面部、前記第２１端面部の反対側の第２２端面部、及び前記第２１端面部から前記第１方向に延在する第２孔を有し、前記第１１端面部及び前記第２１端面部は、前記第１基準面に交差するように設けられ、前記光ファイバは、前記ホルダの前記第１１端面部から前記第１孔を延在し、前記第２部分の前記第２孔の位置において、前記第２１端面部と前記第２２端面部との間隔は、第２長さであり、前記第１部分の前記第１孔の位置において、前記第１１端面部と前記第１２端面部との間隔は、第１長さであり、前記第２長さは前記第１長さより短い。
【００１６】
このファイバスタブによれば、光ファイバはホルダの第１部分の第１１端面部から第１孔内を延在する。ファイバスタブの光ファイバは、当該ファイバスタブの第１１端面部を介して外部部品に光学的に結合される。当該ファイバスタブと光コネクタとの光結合のために、第２孔内にガイド部材を設けて光コネクタをファイバスタブに対して位置合わせすると共に、第１１端面部には樹脂が塗布される。塗布された樹脂は、その硬化前においては粘性を有しており、第１部分の第１１端面部だけでなく第２部分に向けて広がる。発明者の知見によれば、流動性を有する樹脂は毛管現象によって部材の隙間に入り込むので、塗布された樹脂は、第２孔の内側面とガイド部材の側面との間に入り込む可能性がある。一方、このファイバスタブは、第２孔の位置における第２部分の端面間隔（第２１端面部と第２２端面部との間隔）が第１部分の第１孔の位置における端面間隔（第１１端面部と第１２端面部との間隔）より小さい。例えば、第１方向に交差する基準平面に沿ってホルダの第１１端面部及び第２１端面部が配列されてファイバスタブの第１端面を構成する形態では、第１端面の第２１端面部における第２孔を介して毛管現象により樹脂が第２２端面部に到達する可能性がある。しかし、第１１端面部の反対側に位置する第１２端面部は、第２１端面部の反対側に位置する第２２端面部から離れているので、第２２端面部上の樹脂は、第１２端面部には到達しない。或いは、第１方向に交差する基準平面に沿ってホルダの第１２端面部及び第２２端面部が配列されてファイバスタブの第２端面を構成する形態では、第２１端面部が第１１端面部から離れているので、第１１端面部上の樹脂は、第２１端面部の第２孔の入り口に到達しない。
【００１７】
一形態に係るファイバスタブでは、前記ホルダは、第３１端面部、前記第３１端面部の反対側の第３２端面部、及び前記第１方向に延在する第３孔を有する第３部分を更に含み、前記第１部分は前記第２部分と前記第３部分との間に位置し、前記第１孔、前記第２孔及び前記第３孔は、前記第１基準面に沿って配列され、前記第３部分の前記第３孔の位置において、前記第３１端面部と前記第３２端面部との間隔は、第３長さであり、前記第３長さは前記第１長さより短い。
【００１８】
このファイバスタブによれば、第３孔の位置における第３部分の端面間隔（第３１端面部と第３２端面部との間隔）が第１部分の第１孔の位置における端面間隔（第１１端面部と第１２端面部との間隔）より小さい。例えば、第１方向に交差する第２基準面に沿ってホルダの第１１端面部及び第３１端面部が配列されてファイバスタブの第１端面を構成する形態では、第１端面の第３１端面部における第３孔を介して毛管現象により樹脂が第３２端面部に到達する可能性がある。しかし、第１１端面部の反対側に位置する第１２端面部は、第３１端面部の反対側に位置する第３２端面部から離れているので、第３２端面部上の樹脂は、第１２端面部には到達しない。或いは、第１方向に交差する第２基準面に沿ってホルダの第１２端面部及び第３２端面部が配列されてファイバスタブの第２端面を構成する形態では、第３１端面部は、第１１端面部から離れているので、第１１端面部上の樹脂は、第３１端面部の第２孔の入り口に到達しない。
【００１９】
一形態に係るファイバスタブでは、前記第１１端面部及び前記第２１端面部は、前記第１方向に交差する第２基準面に沿って配列されて、前記ファイバスタブの第１端面を構成する。
【００２０】
このファイバスタブによれば、第１方向に交差する第２基準面に沿ってホルダの第１１端面部及び第２１端面部が配列されてファイバスタブの第１端面を構成する形態が提供される。
【００２１】
一形態に係るファイバスタブでは、前記第１２端面部及び前記第２２端面部は、前記第１方向に交差する第３基準面に沿って配列されて、前記ファイバスタブの第２端面を構成する。
【００２２】
このファイバスタブによれば、第１方向に交差する第２基準面に沿ってホルダの第１２端面部及び第２２端面部が配列されてファイバスタブの第２端面を構成する形態が提供される。
【００２３】
一形態に係るファイバスタブは、前記第２孔内に位置する部分を有するガイドピンを更に備える。
【００２４】
このファイバスタブによれば、ガイドピンがファイバスタブに固定されて、ファイバスタブと光コネクタとの光結合を容易にする。
【００２５】
一形態に係るファイバスタブは、（ａ）第１基準面に沿って配列された第１部分及び第２部分を備えるホルダと、（ｂ）前記ホルダによって保持された光ファイバと、（ｃ）前記ホルダによって支持されたガイド部材と、を備え、前記第１部分は、第１１端面部、前記第１１端面部の反対側の第１２端面部、及び前記第１１端面部及び前記第１２端面部の一方から他方へ向かう第１方向に延在する第１孔を有し、前記第２部分は、第２１端面部、前記第２１端面部の反対側の第２２端面部、及び前記第１方向に延在する第２孔を有し、前記第１１端面部及び前記第２１端面部は、前記第１方向に交差する第２基準面に沿って配列されて、前記ファイバスタブの第１端面を構成し、前記第１２端面部及び前記第２２端面部は、前記第１方向に交差する第３基準面に沿って配列されて、前記ファイバスタブの第２端面を構成し、前記ガイド部材は、一端、他端、及び前記一端から前記第１方向に延在すると共に前記一端から前記他端までの区間において終端する孔を有し、前記ガイド部材は、前記第２孔を延在し、前記光ファイバは、前記ホルダの前記第１１端面部から前記第１孔を延在する。
【００２６】
このファイバスタブによれば、光ファイバはホルダの第１部分の第１１端面部から第１孔内を延在する。ファイバスタブの光ファイバは、当該ファイバスタブの第１１端面部を介して外部部品に光学的に結合される。当該ファイバスタブと光コネクタとの結合のために、第２孔内のガイド部材の一端から第１方向に延在する孔にガイドピンを挿入することによって光コネクタをファイバスタブに対して位置合わせすると共に、第１１端面部には樹脂が塗布される。塗布された樹脂は、その硬化前においては流動性を有しており、第１部分の第１１端面部だけでなく第２部分に向けて広がる。発明者の知見によれば、広がった樹脂は、毛管現象によって部材の隙間に入り込むので、塗布された樹脂が、第２孔及び／又はガイド部材に係る隙間に吸い込まれる可能性がある。しかしながら、ガイド部材の孔が一端から他端までに間において終端することによって、ガイド部材の孔にガイドピンの挿入が可能である一方で、第２部分の第２１端面部にまで広がった樹脂がガイド部材の孔を介して第２２端面部に到達することを避けることができる。
【００２７】
一形態に係るファイバスタブでは、前記ガイド部材は、一端、他端及び前記一端から前記他端まで延在する貫通孔を有するガイドパイプと、前記ガイドパイプの貫通孔を塞ぐ封止部材とを含む。
【００２８】
このファイバスタブによれば、ガイド部材における孔は、貫通孔を塞ぐ封止部材によって終端される。
【００２９】
一形態に係るファイバスタブでは、前記ホルダは、前記ガイド部材を前記第２孔に固定する固定部材を備える。
【００３０】
このファイバスタブによれば、固定部材は、ガイド部材をホルダの第２孔に隙間無くしっかりと固定することを確実にする。
【００３１】
一形態に係る光通信装置は、（ａ）本実施形態のいずれか一形態として記載されたファイバスタブと、（ｂ）光カプラ、該光カプラに接続された光導波路、及び該光導波路に接続された半導体光素子を備えるシリコンフォトニクス素子と、（ｃ）前記シリコンフォトニクス素子を前記ファイバスタブに結合させる樹脂体と、を備える。
【００３２】
光通信装置によれば、シリコンフォトニクス素子の光カプラをファイバスタブの光ファイバに結合させる樹脂体によって、ファイバスタブと光コネクタとの光結合を攪乱されない。
【００３３】
本発明の知見は、例示として示された添付図面を参照して以下の詳細な記述を考慮することによって容易に理解できる。引き続いて、添付図面を参照しながら、ファイバスタブ、及び光通信装置に係る実施形態を説明する。可能な場合には、同一の部分には同一の符号を付する。
【００３４】
図１は、本実施形態に係る一のファイバスタブを概略的に示す図面である。ファイバスタブ１１ａは、ホルダ１３及び一又は複数の光ファイバ１５（本実施例では、光ファイバ１５の数は１０である）を備える。ホルダ１３は、第１基準面Ｒ１ＥＦに沿って配列された第１部分１３ａ及び第２部分１３ｂを含む。本実施例では、第１部分１３ａ及び第２部分１３ｂが互いに隣に位置する。光ファイバ１５は、ホルダ１３によって保持されている。ホルダ１３の第１部分１３ａは、第１１端面部１３ａａ及び第１２端面部１３ａｂを有し、第１２端面部１３ａｂは第１１端面部１３ａａの反対側にある。また、第１部分１３ａは、一又は複数の第１孔１３ｄ（本実施例では、第１孔１３ｄの数は１０である）を有し、第１孔１３ｄは、第１１端面部１３ａａ及び第１２端面部１３ａｂの一方から他方への第１方向Ａｘ１に第１１端面部１３ａａから第１２端面部１３ａｂまで延在する。光ファイバ１５は、ホルダ１３の第１１端面部１３ａａから第１孔１３ｄを延在する。ホルダ１３の第２部分１３ｂは、第２１端面部１３ｂａ及び第２２端面部１３ｂｂを有し、第２２端面部１３ｂｂは第２１端面部の反対側にある。第２部分１３ｂは第２孔１３ｅ（本実施例では、第２孔１３ｅの数は１である。）を有し、第２孔１３ｅは、第２１端面部１３ｂａ及び第２２端面部１３ｂｂの一方から他方まで第１方向Ａｘ１に延在する。第２孔１３ｅは、ファイバスタブ１１ａを、光コネクタと接続する際における位置合わせ用のガイド部材のために設けられている。第１１端面部１３ａａ及び第１２端面部１３ａｂは、第１基準面Ｒ１ＥＦに交差するように設けられ、第２１端面部１３ｂａ及び第２２端面部１３ｂｂは第１基準面Ｒ１ＥＦに交差するように設けられる。第１部分１３ａの第１孔１３ｄの位置において、第１１端面部１３ａａと第１２端面部１３ａｂとの間隔は第１長さＬ１であり、第２部分１３ｂの第２孔１３ｅの位置において、第２１端面部１３ｂａと第２２端面部ｂｂとの間隔は第２長さＬ２である。第２長さＬ２は第１長さＬ１より短い。第１長さＬ１及び第２長さＬ２は、第１方向Ａｘ１の方向に規定される。
【００３５】
本実施例では、第１孔１３ｄは、第１基準面Ｒ１ＥＦに沿って配列されており、光ファイバ１５は、第１基準面Ｒ１ＥＦに沿って配列されて光ファイバアレイを構成する。
【００３６】
図１に示されるファイバスタブ１１ａでは、第２１端面部１３ｂａ及び第２２端面部１３ｂｂは、第１基準面Ｒ１ＥＦに交差するように配列されており、具体的には第１基準面Ｒ１ＥＦ及び第１方向Ａｘ１の両方に交差する第２基準面Ｒ２ＥＦに沿って延在して、第２端面１３ｂｆを構成する。
【００３７】
図２は、本実施形態に係る別のファイバスタブを概略的に示す図面である。ファイバスタブ１１ｂは、ファイバスタブ１１ａと同様に、ホルダ１３及び一又は複数の光ファイバ１５（本実施例では、光ファイバ１５の数は１０である）を備える。ホルダ１３は、第１基準面Ｒ１ＥＦに沿って配列された第１部分１３ａ及び第２部分１３ｂ含む。光ファイバ１５は、ホルダ１３によって保持されている。第１部分１３ａの第１孔１３ｄの位置において、第１１端面部１３ａａと第１２端面部１３ａｂとの間隔は第１長さＬ１であり、第２部分１３ｂの第２孔１３ｅの位置において、第２１端面部１３ｂａと第２２端面部ｂｂとの間隔は第２長さＬ２である。第２長さＬ２は、第１長さＬ１より短い。第１１端面部１３ａａ及び第１２端面部１３ａｂは、第１基準面Ｒ１ＥＦに交差するように設けられ、第２１端面部１３ｂａ及び第２２端面部１３ｂｂは第１基準面Ｒ１ＥＦに交差するように設けられる。図２に示されるファイバスタブ１１ｂでは、第１１端面部１３ａａ及び第２１端面部１３ｂａは、第１基準面Ｒ１ＥＦに交差するように配列されており、具体的には第１基準面Ｒ１ＥＦ及び第１方向Ａｘ１に交差する第３基準面Ｒ３ＥＦに沿って延在して、第１端面１３ａｆを構成する。本実施例においては、ファイバスタブ１１ｂのホルダ１３は、第１１端面部１３ａａ及び第２１端面部１３ｂａによって構成された第１端面１３ａｆを有する構造の点で、第２１端面部１３ｂａ及び第２２端面部１３ｂｂによって構成された第２端面１３ｂｆを有するファイバスタブ１１ａのホルダ１３と異なる。
【００３８】
ファイバスタブ１１ａ、１１ｂによれば、光ファイバ１５はホルダ１３の第１部分１３ａの第１１端面部１３ａａから第１孔１３ｄ内を延在する。ファイバスタブ１１ａ、１１ｂの光ファイバ１５は、第１１端面部１３ａａを介して外部部品ＤＥＶに光学的に結合される。
【００３９】
また、ファイバスタブ１１ａ、１１ｂと光コネクタＣＯＮとの光結合のために、第２孔１３ｅ内のガイド部材ＧＰを用いてファイバスタブ１１ａ、１１ｂを光コネクタＣＯＮに対して位置合わせすると共に、第１１端面部１３ａａには樹脂が塗布される。塗布された樹脂は、その硬化前においては流動性を有しており、第１部分１３ａの第１１端面部１３ａａだけでなく第２部分１３ｂに向けて広がる。発明者の知見によれば、広がった樹脂は、毛管現象によって部材の隙間に入り込み、塗布された樹脂は、第２孔１３ｅの内側面とガイド部材ＧＰの側面との間に入り込む可能性がある。一方、このファイバスタブは、第２孔１３ｅの位置における第２部分１３ｂの端面間隔（第２１端面部１３ｂａと第２２端面部１３ｂｂとの間隔、第２長さＬ２）が第１部分１３ａの第１孔１３ｄの位置における端面間隔（第１１端面部１３ａａと第１２端面部１３ａｂとの間隔、第１長さＬ１）より小さい。この長さの差に起因した構造により、第１１端面部１３ａａに塗布された樹脂が、第１２端面部１３ａｂにおける光学的結合（光コネクタとファイバスタブとの光学的結合）を攪乱することを避けることができる。
【００４０】
例えば、ホルダの第２１端面部１３ｂａが第１１端面部１３ａａを基準にして第４長さＬ４だけ第１方向Ａｘ１に後退しているファイバスタブ（例えば、ファイバスタブ１１ａ）では、第１１端面部１３ａａに塗布された樹脂は、端面の部分的な後退のお陰で、樹脂の広がり（横方向の広がり）だけでは第２１端面部１３ｂａに到達しない。これ故に、第１１端面部１３ａａを有する第１部分１３ａが、第２１端面部１３ｂａを基準にして第１方向Ａｘ１に突出しているので、第１１端面部１３ａａ上の樹脂は、第２１端面部１３ｂａの第２孔１３ｅの入り口に至らない。
【００４１】
或いは、例えば、ホルダの第２２端面部１３ｂｂが第１２端面部１３ａｂを基準にして第５長さＬ５だけ第１方向Ａｘ１に後退しているファイバスタブ（例えば、ファイバスタブ１１ｂ）では、第１１端面部１３ａａに塗布された樹脂が横方向の広がりによって第２１端面部１３ｂａに到達する可能性があり、第２１端面部１３ｂａ上の樹脂は、第２１端面部１３ｂａの第２孔１３ｅを介して、第２１端面部１３ｂａの反対側の第２２端面部１３ｂｂに到達することがある。第１２端面部１３ａｂを有する第１部分１３ａが、第２２端面部１３ｂｂを基準にして第１方向Ａｘ１に突出しているので、第２孔１３ｅを介して第２２端面部１３ｂｂｈに到達した樹脂は、第１２端面部１３ａｂに至らない。
【００４２】
ファイバスタブ１１ａ、１１ｂにおいては、ホルダ１３は、第３部分１３ｃを更に備える。ホルダ１３では、第１部分１３ａ、第２部分１３ｂ及び第３部分１３ｃは、第１基準面Ｒ１ＥＦに沿って配列されて、第１部分１３ａは第２部分１３ｂと第３部分１３ｃとの間に位置して、第１部分１３ａ、第２部分１３ｂ及び第３部分１３ｃは、ホルダ１３のための一体物を形成する。第３部分１３ｃは、第３１端面部１３ｃａ及び第３２端面部１３ｃｂを備え、第３２端面部１３ｃｂは、第３１端面部１３ｃａの反対側にある。第３部分１３ｃは、第３１端面部１３ｃａから第３２端面部１３ｃｂまで第１方向Ａｘ１に延在する第３孔１３ｆを有する。第３部分１３ｃの第３孔１３ｆの位置において、第３１端面部１３ｃａと第３２端面部１３ｃｂとの間隔は、第３長さＬ３であり、第３長さＬ３は、第１長さＬ１より短く、本実施例では、第１孔１３ｄ、第２孔１３ｅ及び第３孔１３ｆは、第１基準面Ｒ１ＥＦに沿って配列される。具体的な例では、第３長さＬ３は、第２長さＬ２と実質的に同じである。
【００４３】
ファイバスタブ１１ａ、１１ｂによれば、第３孔１３ｆの位置における第３部分１３ｃの端面間隔（第３１端面部１３ｃａと第３２端面部１３ｃｂとの間隔、第３長さＬ３）が第１部分１３ａの第１孔１３ｄの位置における端面間隔（第１１端面部１３ａａと第１２端面部１３ａｂとの間隔、第１長さＬ１）より小さい。ファイバスタブ１１ａ、１１ｂは、第３部分１３ｃの第３孔１３ｆに関しても、第２部分１３ｂの第２孔１３ｅの構造に起因する技術的な寄与を発揮する。
【００４４】
ホルダの第３１端面部１３ｃａが第１１端面部１３ａａを基準にして第１方向Ａｘ１に（例えば第４長さＬ４で）後退しているファイバスタブ（例えば、ファイバスタブ１１ａ）では、第１１端面部１３ａａに塗布された樹脂は、端面の部分的な後退のお陰で、樹脂の広がり（横方向の広がり）だけでは第３１端面部１３ｃａに到達しない。これ故に、第１１端面部１３ａａが、第３１端面部１３ｃａを基準にして第１方向Ａｘ１に突出しているので、第１１端面部１３ａａ上の樹脂は、第３１端面部１３ｃａの第３孔１３ｆの入り口に至らない。
【００４５】
或いは、ホルダの第３２端面部１３ｃｂが第１２端面部１３ａｂを基準にして第１方向Ａｘ１に（例えば、第５長さＬ５で）後退しているファイバスタブ（例えば、ファイバスタブ１１ｂ）では、第１１端面部１３ａａに塗布された樹脂が横方向の広がりによって第３１端面部１３ｃａに到達すると共に、この樹脂は、第３１端面部１３ｃａの第３孔１３ｆを介して、第３１端面部１３ｃａの反対側の第３２端面部１３ｃｂに到達する可能性がある。第１２端面部１３ａｂを含む第１部分１３ａが、第３２端面部１３ｃｂを基準にして第１方向Ａｘ１に突出しているので、第３孔１３ｆを介して第３２端面部１３ｃｂに到達した樹脂は、第１２端面部１３ａｂに至らない。
【００４６】
ホルダ構造の一例。
第１長さＬ１：３ｍｍ。
第１長さＬ１の範囲：２〜８ｍｍ。
第２長さＬ２及び第３長さＬ３：２ｍｍ。
第２長さＬ２又は第３長さＬ３の範囲：１．５〜７．５ｍｍ。
第４長さＬ４：１ｍｍ。
第４長さＬ４の範囲：０．５〜２ｍｍ。
第５長さＬ５：１ｍｍ。
第５長さＬ５の範囲：０．５〜２ｍｍ。
【００４７】
図１を参照すると、第１２端面部１３ａｂ、第２２端面部１３ｂｂ及び第３２端面部１３ｃｂは、第１方向に交差する第２基準面Ｒ２ＥＦに沿って配列されて、ファイバスタブ１１ａの第２端面１３ｂｆを構成する。このファイバスタブ１１ａによれば、第２１端面部１３ｂａ及び第３１端面部１３ｃａが、共に、第１１端面部１３ａａに対して後退しているので、第１１端面部１３ａａ上の樹脂は、第２１端面部１３ｂａの第２孔１３ｅ及び第３１端面部１３ｃａの第３孔１３ｆの入り口に至らない。第１１端面部１３ａａが、第３基準面Ｒ３ＥＦに沿って延在しており、第２１端面部１３ｂａ及び第３１端面部１３ｃａは第３基準面Ｒ３ＥＦから離れている。具体的な形態では、第３基準面Ｒ３ＥＦは、第１方向Ａｘ１に直交する直交面に対して傾斜していることができる。第１１端面部１３ａａの傾斜により、ファイバスタブ１１ａが外部部品ＤＥＶに良好に光学的な結合を成すことができる。第１１端面部１３ａａの傾斜角ＴＨは、例えば６〜１０度であることができる。
【００４８】
図２を参照すると、第１１端面部１３ａａ、第２１端面部１３ｂａ及び第３１端面部１３ｃａは、第１方向に交差する第３基準面Ｒ３ＥＦに沿って配列されて、ファイバスタブ１１ｂの第１端面１３ａｆを構成する。このファイバスタブ１１ｂによれば、第２２端面部１３ｂｂ及び第３２端面部１３ｃｂが、共に、第１２端面部１３ａｂに対して後退している。第１１端面部１３ａａ上の樹脂は、第２１端面部１３ｂａの第２孔１３ｅ及び第３１端面部１３ｃａの第３孔１３ｆを介してそれぞれ第２２端面部１３ｂｂ及び第３２端面部１３ｃｂに到達する可能性がある。第１２端面部１３ａｂが、第２基準面Ｒ２ＥＦに沿って延在しており、第２２端面部１３ｂｂ及び第３２端面部１３ｃｂは第２基準面Ｒ２ＥＦから離れているので、第２２端面部１３ｂｂ及び第３２端面部１３ｃｂ上の樹脂は、第１２端面部１３ａｂに到達しない。具体的な形態では、第３基準面Ｒ３ＥＦは、第１方向Ａｘ１に直交する直交面に対して傾斜していることができる。第１１端面部１３ａａ及び第１端面１３ａｆの傾斜により、ファイバスタブ１１ｂが外部部品ＤＥＶに良好に光学的な結合を成すことができる。第１端面１３ａｆの傾斜角ＴＨは、例えば６〜１０度であることができる。
【００４９】
ファイバスタブ１１ａ、１１ｂの各々は、第１側面１３ｇ、第２側面１３ｈ、第３側面１３ｉ及び第４側面１３ｊを有する。第１側面１３ｇ、第２側面１３ｈ、第３側面１３ｉ及び第４側面１３ｊは、第１方向Ａｘ１に延在している。第１側面１３ｇは第２側面１３ｈの反対側に位置し、第３側面１３ｉは第４側面１３ｊの反対側に位置する。第１部分１３ａ、第２部分１３ｂ及び第３部分１３ｃは、第３側面１３ｉ及び第４側面１３ｊの一方から他方への方向に配列されている。第１１端面部１３ａａは、第１側面１３ｇ及び第２側面１３ｈのうちの一側面の縁から他方の縁まで延在している。２つの側面を繋ぐ広い幅を有する第１１端面部１３ａａは、ファイバスタブ１１ａが外部部品ＤＥＶに光学的な結合を成す際の光結合角を安定して達成することを可能にする。
【００５０】
本実施例では、ファイバスタブ１１ａの第２１端面部１３ｂａ及び第３１端面部１３ｃａは、第１側面１３ｇ及び第２側面１３ｈのうちの一側面の縁から他方の縁まで延在している。２つの側面を繋ぐ大きな幅を有する第２１端面部１３ｂａ及び第３１端面部１３ｃａは、第１１端面部１３ａａ上の樹脂が、第１１端面部１３ａａの側面から回り込んで、第２１端面部１３ｂａの第２孔１３ｅ及び第３１端面部１３ｃａの第３孔１３ｆに偶発的に到達する可能性を低減できる。また、第２１端面部１３ｂａは、第２部分１３ｂの全体にわたって第３側面１３ｉに到達しており、第３１端面部１３ｃａは、第３部分１３ｃの全体にわたって第４側面１３ｊに到達している。個々の側面に到達するサイズの大きな後退部分を有する第２１端面部１３ｂａ及び第３１端面部１３ｃａは、第１１端面部１３ａａ上の樹脂が溢れて込んで、第２１端面部１３ｂａの第２孔１３ｅ及び第３１端面部１３ｃａの第３孔１３ｆに偶発的に到達する可能性を低減できる。
【００５１】
本実施例では、ファイバスタブ１１ｂの第２２端面部１３ｂｂ及び第３２端面部１３ｃｂは、第１側面１３ｇ及び第２側面１３ｈのうちの一側面の縁から他方の縁まで延在している。２つの側面を繋ぐ大きな幅を有する第２２端面部１３ｂｂ及び第３２端面部１３ｃｂは、第２２端面部１３ｂｂの第２孔１３ｅ及び第３１端面部１３ｃａの第３孔１３ｆからの樹脂が、第２２端面部１３ｂｂ及び第３２端面部１３ｃｂから溢れ出て偶発的に第１２端面部１３ａｂに到達する可能性を低減できる。また、第２２端面部１３ｂｂは、第２部分１３ｂの全体にわたって第３側面１３ｉに到達しており、第３２端面部１３ｃｂは、第３部分１３ｃの全体にわたって第４側面１３ｊに到達している。個々の側面に到達するサイズの大きな後退部分を有する第２２端面部１３ｂｂ及び第３２端面部１３ｃｂは、第２１端面部１３ｂａの第２孔１３ｅ及び第３１端面部１３ｃａの第３孔１３ｆからの樹脂が、第２１端面部１３ｂａ及び第３１端面部１３ｃａから溢れて第１２端面部１３ａｂに到達する可能性を低減できる。
【００５２】
図１及び図２に示されたファイバスタブ１１ａ、１１ｂは、ファイバスタブのための典型的な例示であり、本実施形態に係るファイバスタブは、これら例示の形状に限定されない。
【００５３】
図３は、図１に示されたファイバスタブ１１ａの構造を示す図面である。ホルダ１３は、第１１部材１７及び第１２部材１９を備えることができる。第１２部材１９は第１１部材１７と実質的に同じ構造を有することができ、本実施例では、第１１部材１７及び第１２部材１９の符合を参照しながら、第１１部材１７に係る主要な説明が行われる。第１１部材１７（第１２部材１９）は、第１１部分１７ａ（１９ａ）、第１２部分１７ｂ（１９ｂ）及び第１３部分１７ｃ（１９ｃ）を含み、第１１部分１７ａ（１９ａ）は第１２部分１７ｂ（１９ｂ）と第１３部分１７ｃ（１９ｃ）との間に設けられる。第１１部材１７（第１２部材１９）は、光ファイバ１５のそれぞれのための第１１支持部１７ｄ（１９ｄ）、並びにガイド部材ＧＰのための第１２支持部１７ｅ（１９ｅ）及び第１３支持部１７ｆ（１９ｆ）を有する。第１１支持部１７ｄ（１９ｄ）の各々は、単一の光ファイバ１５を支持するための支持面１７ｇ、１７ｈ（１９ｇ、１９ｈ）を有する。組み立てられた第１１部材１７及び第１２部材１９において、支持面１７ｇ、１７ｈ（１９ｇ、１９ｈ）は第１孔１３ｄを構成する。光ファイバ１５は、それぞれの第１１支持部１７ｄ（１９ｄ）の支持面１７ｇ、１７ｈ（１９ｇ、１９ｈ）に支持されて、第１１部材１７と第１２部材１９との間において接着材２１によって固定される。第１２支持部１７ｅ（１９ｅ）は、ガイド部材ＧＰの案内のためのガイド面１７ｉ、１７ｊ（１９ｉ、１９ｊ）を有する。組み立てられた第１１部材１７及び第１２部材１９において、ガイド面１７ｉ、１７ｊ（１９ｉ、１９ｊ）が第２孔１３ｅを構成する。第１３支持部１７ｆ（１９ｆ）は、ガイド部材ＧＰの案内のためのガイド面１７ｋ、１７ｍ（１９ｋ、１９ｍ）を有する。組み立てられた第１１部材１７及び第１２部材１９において、ガイド面１７ｋ、１７ｍ（１９ｋ、１９ｍ）が第３孔１３ｆを構成する。
【００５４】
図４は、図２に示されたファイバスタブ１１ｂの構造を示す図面である。ホルダ１３は、第２１部材２３及び第２２部材２５を備えることができる。第２２部材２５は第２１部材２３と実質的に同じ構造を有することができ、本実施例では、第２１部材２３及び第２２部材２５の符合を参照しながら、第２１部材２３に係る主要な説明が行われる。第２１部材２３（第２２部材２５）は、第２１部分２３ａ（２５ａ）、第２２部分２３ｂ（２５ｂ）及び第２３部分２３ｃ（２５ｃ）を含み、第２１部分２３ａ（２５ａ）は第２２部分２３ｂ（２５ｂ）と第２３部分２３ｃ（２５ｃ）との間に設けられる。第２１部材２３（第２２部材２５）は、光ファイバ１５のそれぞれのための第２１支持部２３ｄ（２５ｄ）、並びにガイド部材ＧＰのための第２２支持部２３ｅ（２５ｅ）及び第２３支持部２３ｆ（２５ｆ）を有する。第２１支持部２３ｄ（２５ｄ）は、単一の光ファイバ１５を支持するための支持面２３ｇ、２３ｈ（２５ｇ、２５ｈ）を有する。組み立てられた第２１部材２３及び第２２部材２５において、支持面２３ｇ、２３ｈ（２５ｇ、２５ｈ）は第１孔１３ｄを構成する。光ファイバ１５は、それぞれの第２１支持部２３ｄ（２５ｄ）の支持面２３ｇ、２３ｈ（２５ｇ、２５ｈ）に支持されて、第２１部材２３と第２２部材２５との間において接着材２１によって固定される。第２２支持部２３ｅ（２５ｅ）は、ガイド部材ＧＰの案内のためのガイド面２３ｉ、２３ｊ（２５ｉ、２５ｊ）を有する。組み立てられた第２１部材２３及び第２２部材２５において、ガイド面２３ｉ、２３ｊ（２５ｉ、２５ｊ）が第２孔１３ｅを構成する。第２３支持部２３ｆ（２５ｆ）は、ガイド部材ＧＰの案内のためのガイド面２３ｋ、２３ｍ（２５ｋ、２５ｍ）を有する。組み立てられた第２１部材２３及び第２２部材２５において、ガイド面２３ｋ、２３ｍ（２５ｋ、２５ｍ）が第３孔１３ｆを構成する。
【００５５】
一実施例において、第１１支持部１７ｄ（１９ｄ）及び第２１支持部２３ｄ（２５ｄ）は、光ファイバ１５を支持するように設けられたＶ溝であることができる。第１２支持部１７ｅ（１９ｅ）、第１３支持部１７ｆ（１９ｆ）、第２２支持部２３ｅ（２５ｅ）及び第２３支持部２３ｆ（２５ｆ）は、ガイド部材ＧＰを案内できるように設けられたＶ溝であることができる。
【００５６】
ホルダ１３の作製について簡単に説明する。光ファイバアレイスタブのためのホルダの作製のために、ガラス板材（例えばテンパックス、パイレックス（登録商標））を準備する。ガラス板材に、光ファイバを支持するためのＶ溝、及びガイドピンを挿入するＶ溝を切削により形成する。これらのＶ溝は、同一の方向に延在する。このような開口された板材を３ミリメートル程度の長さで切断して、多数の部材（第１１部材、第１２部材、第２１部材、第２２部材のための部品）を作製する。このように作製された２つの部材の間に、紫外線硬化剤を含む接着材と共に光ファイバを挟んで組立体を形成した後に、組立体に紫外線を照射して接着材を固化させる、この後に、組立体の一端及び他端を研磨して、光ファイバアレイスタブの光結合端面及び後退端面を形成する。光結合端面には、アレイ状の光ファイバの端部が位置し、後退端面にはガイド部材のための第２孔及び第３孔の開口が位置する。本実施例における光ファイバ支持溝の長さは例えば３ｍｍであり、ガイド部材支持溝の長さは例えば２．５ｍｍである。ホルダの第１側面と第２側面との間隔は例えば３ｍｍであり、ホルダの第３側面と第４側面との間隔は例えば６ｍｍである。
【００５７】
図５は、本実施形態に係る光通信装置を模式的に示す図面である。光通信装置３１ａは、本実施形態に係るファイバスタブ１１ａと、シリコンフォトニクス素子ＳｉＰＨＤといった光集積素子と、樹脂体３３とを備える。図６は、本実施形態に係る光通信装置を模式的に示す図面である。光通信装置３１ｂは、本実施形態に係るファイバスタブ１１ｂと、シリコンフォトニクス素子ＳｉＰＨＤといった光集積素子と、樹脂体３３とを備える。ファイバスタブ１１ａ、１１ｂは、接着のための樹脂体３３を介して光集積素子に固定される。樹脂体３３は、例えば熱硬化性、または紫外線硬化性のエポキシ系接着剤等であることができる。光通信装置３１ａ、３１ｂによれば、光集積素子をファイバスタブの光ファイバに光学的に結合させるための樹脂体３３によって、ファイバスタブと光コネクタとの光結合が攪乱されることを避けることができる。光集積素子は、概略的には、ファイバスタブ１１ａと光学的に結合される光カプラと、該光カプラに接続された光導波路と、該光導波路に接続された半導体光素子とを備えており、図７を参照しながら、光集積素子の一例としてシリコンフォトニクス素子ＳｉＰＨＤが説明される。
【００５８】
図７は、光集積素子の一例を示す平面図を示す。光集積素子の一例はシリコンフォトニクス素子である。シリコンフォトニクス素子ＳｉＰＨＤの光カプラとして、複数のグレーティングカプラＧＣ１、ＧＣ２、ＧＣ３、ＧＣ４、ＧＣ５、ＧＣ６、ＧＣ７、ＧＣ８、ＣＧ９、ＣＧ１０（例えば１０個）が示される。
【００５９】
グレーティングカプラＧＣ１〜ＣＧ４は、光受信器のために用いられる。このため、グレーティングカプラＧＣ１〜ＣＧ４は、外部からの信号光をファイバスタブを介して受ける。信号光ＬＲＶ１、ＬＲＶ２、ＬＲＶ３、ＬＲＶ４は、光回路ＷＣを介して受光素子ＰＤに提供される。本実施例では、光回路ＷＣは光導波路ＷＧ１〜ＷＧ４を含むが、これに限定されるものではない。グレーティングカプラＧＣ１〜ＣＧ４は、それぞれ、光導波路ＷＧ１〜ＷＧ４を介してフォトダイオードＰＤ１〜ＰＤ４に光学的に結合される。フォトダイオードＰＤ１〜ＰＤ４は、導電線ＥＬ１〜ＥＬ４を介して電気回路ＴＩＡ（例えばトランスインピーダンスアンプ）に接続される。電気回路ＴＩＡは、フォトダイオードＰＤ１〜ＰＤ４からの電気信号（例えば光電流）の処理（例えば電流−電圧変換、増幅）を行って、受信した信号光に対応した電気信号を生成する。
【００６０】
また、グレーティングカプラＧＣ５〜ＣＧ９は、光送信器のために用いられる。本実施例では、グレーティングカプラＧＣ５からのレーザ光ＬＤは、光導波路ＷＧ５を介して複数の光変調器ＭＤに供給される。光変調器ＭＤは、例えばマッハツェンダ変調器ＭＺＩＡ、ＭＺＩＢ、ＭＺＩＣ、ＭＺＩＤを含む。マッハツェンダ変調器ＭＺＩＡ、ＭＺＩＢ、ＭＺＩＣ、ＭＺＩＤは、それぞれ、駆動回路Ｄｒｉｖｅｒから電気信号ＥＭ１、ＥＭ２、ＥＭ３及びＥＭ４を受けて、電気信号ＥＭ１〜ＥＭ４に応じて複数の変調光Ｌ１ＭＤ、Ｌ２ＭＤ、Ｌ３ＭＤ及びＬ４ＭＤを生成する。これらの変調光Ｌ１ＭＤ〜Ｌ４ＭＤは、それぞれ、光導波路ＷＧ６〜ＷＧ９を伝搬してグレーティングカプラＧＣ６〜ＣＧ９に到達する。グレーティングカプラＧＣ６〜ＣＧ９は、ファイバスタブを介して外部に信号光を提供できる。このように、シリコンフォトニクス素子ＳｉＰＨＤ内のグレーティングカプラＧＣ１〜ＣＧ９とファイバスタブとの接続は、外部からの光の受入及び／又は外部への光の提供を並列して行うことを可能にする。
【００６１】
図８は、本実施形態に係るファイバスタブを概略的に示す図面である。ファイバスタブ１１ｃは、ホルダ２７、一又は複数の光ファイバ１５（本実施例では、光ファイバ１５の数は１０である）、及びホルダ２７によって保持されたガイド部材２９を備える。
【００６２】
ホルダ２７は、第１基準面Ｒ１ＥＦに沿って配列された第１部分２７ａ及び第２部分２７ｂを含む。光ファイバ１５は、ホルダ２７によって保持されている。ホルダ２７の第１部分２７ａは、第１１端面部２７ａａ及び第１２端面部２７ａｂを有し、第１２端面部２７ａｂは第１１端面部２７ａａの反対側にある。また、第１部分２７ａは、一又は複数の第１孔２７ｄ（本実施例では、第１孔２７ｄの数は１０である）を有し、第１孔２７ｄは、第１１端面部２７ａａ及び第１２端面部２７ａｂの一方から他方への第１方向Ａｘ１に第１１端面部２７ａａから第１２端面部２７ａｂまで延在する。光ファイバ１５は、ホルダ２７の第１１端面部２７ａａから第１孔２７ｄを延在する。ホルダ２７の第２部分２７ｂは、第２１端面部２７ｂａ及び第２２端面部２７ｂｂを有し、第２２端面部２７ｂｂは第２１端面部２７ｂａの反対側にある。第２部分２７ｂは第２孔２７ｅを有し、第２孔２７ｅは、第２１端面部２７ｂａ及び第２２端面部２７ｂｂの一方から他方まで第１方向Ａｘ１に延在する。第２孔２７ｅは、ファイバスタブ１１ｃを、光コネクタと接続する際における位置合わせ用のガイド部材のために設けられている。第１１端面部２７ａａ及び第１２端面部２７ａｂは、第１基準面Ｒ１ＥＦに交差するように設けられ、第２１端面部２７ｂａ及び第２２端面部２７ｂｂは、第１基準面Ｒ１ＥＦに交差するように設けられる。
【００６３】
ガイド部材２９は、一端２９ａ、他端２９ｂ、及び孔２９ｃを有する。孔２９ｃは、一端２９ａから第１方向Ａｘ１に延在すると共に一端２９ａから他端２９ｂまでに間において終端する。ガイド部材２９は、第２孔２７ｅ内に設けられ、また第２１端面部２７ｂａから第２孔２７ｅを延在する。
【００６４】
第１部分２７ａの第１孔２７ｄの位置において、第１１端面部２７ａａと第１２端面部２７ａｂとの間隔は第１長さＬ１であり、第２部分２７ｂの第２孔２７ｅの位置において、第２１端面部２７ｂａと第２２端面部ｂｂとの間隔は第２長さＬ２である。第１長さＬ１及び第２長さＬ２は、第１方向Ａｘ１の方向に規定されており、第２長さＬ２は、第１長さＬ１と同じあることができる。
【００６５】
本実施例では、第１孔２７ｄは、第１基準面Ｒ１ＥＦに沿って配列されており、光ファイバ１５も、第１基準面Ｒ１ＥＦに沿って配列されている。
【００６６】
ファイバスタブ１１ｃでは、第１２端面部２７ａｂ及び第２２端面部２７ｂｂは、第１基準面Ｒ１ＥＦに交差するように設けられ、具体的には第１基準面Ｒ１ＥＦ及び第１方向Ａｘ１に交差する第２基準面Ｒ２ＥＦに沿って延在して、第２端面２７ｂｆを構成する。
【００６７】
ファイバスタブ１１ｃでは、第１１端面部２７ａａ及び第２１端面部２７ｂａは、第１基準面Ｒ１ＥＦに交差するように設けられ、具体的には第１基準面Ｒ１ＥＦ及び第１方向Ａｘ１に交差する第３基準面Ｒ３ＥＦに沿って延在して、第１端面２７ａｆを構成する。
【００６８】
ホルダ２７は、第３部分２７ｃを更に備える。ホルダ２７では、第１部分２７ａ、第２部分２７ｂ及び第３部分２７ｃは、第１基準面Ｒ１ＥＦに沿って配列されて、第１部分２７ａは第２部分２７ｂと第３部分２７ｃとの間に位置して、第１部分２７ａ、第２部分２７ｂ及び第３部分２７ｃは、ホルダ２７のための一体物を形成する。第３部分２７ｃは、第３１端面部２７ｃａ及び第３２端面部２７ｃｂを備え、第３２端面部２７ｃｂは、第３１端面部２７ｃａの反対側にある。第３部分２７ｃは、第３１端面部２７ｃａから第３２端面部２７ｃｂまで第１方向Ａｘ１に延在する第３孔２７ｆを有する。第３部分２７ｃの第３孔２７ｆの位置において、第３１端面部２７ｃａと第３２端面部２７ｃｂとの間隔は、第３長さＬ３であり、第３長さＬ３は、第１長さＬ１と同じであることができる。本実施例では、第１孔２７ｄ、第２孔２７ｅ及び第３孔２７ｆは、第１基準面Ｒ１ＥＦに沿って配列される。
【００６９】
第１１端面部２７ａａ、第２１端面部２７ｂａ及び第３１端面部２７ｃａは、第１方向に交差する第３基準面Ｒ３ＥＦに沿って配列されて、ファイバスタブ１１ｃの第１端面２７ａｆを構成する。具体的な形態では、第３基準面Ｒ３ＥＦは、第１方向Ａｘ１に直交する直交面に対して傾斜していることができる。第１端面２７ａｆの第１１端面部２７ａａの傾斜により、ファイバスタブ１１ｃが外部部品ＤＥＶに良好に光学的な結合を成すことができる。第１１端面部２７ａａの傾斜角ＴＨは、例えば６〜１０度であることができる。
【００７０】
ファイバスタブ１１ｃは、第１側面２７ｇ、第２側面２７ｈ、第３側面２７ｉ及び第４側面２７ｊを有する。第１側面２７ｇ、第２側面２７ｈ、第３側面２７ｉ及び第４側面２７ｊは、第１方向Ａｘ１に延在している。第１側面２７ｇは第２側面２７ｈの反対側に位置し、第３側面２７ｉは第４側面２７ｊの反対側に位置する。第１部分２７ａ、第２部分２７ｂ及び第３部分２７ｃは、第３側面２７ｉ及び第４側面２７ｊの一方から他方への方向に配列されている。第１端面２７ａｆ及び第２端面２７ｂｆの各々は、第１側面２７ｇ及び第２側面２７ｈのうちの一側面の縁から他方の縁まで延在している。
【００７１】
このファイバスタブ１１ｃによれば、光ファイバ１５はホルダ２７の第１部分２７ａの第１１端面部２７ａａから第１孔２７ｄ内を延在する。ファイバスタブ１１ｃは、ファイバスタブ１１ｃの第１１端面部２７ａａを介して外部部品ＤＥＶに光学的に結合される。ファイバスタブ１１ｃと光コネクタＣＯＮとの結合のために、第２孔２７ｅ内のガイド部材２９の一端２９ａから第１方向Ａｘ１に延在する孔にガイドピンＰＧを挿入することによってファイバスタブ１１ｃを光コネクタＣＯＮに対して位置合わせすると共に、第１１端面部２７ａａには樹脂が塗布される。塗布された樹脂は、その硬化前においては流動性を有しており、第１部分２７ａの第１１端面部２７ａａだけでなく第２部分２７ｂに向けて広がる。発明者の知見によれば、広がった樹脂は、毛管現象によって部材の隙間に入り込むので、塗布された樹脂が、第２孔２７ｅ及び／又はガイド部材２９に係る隙間に吸い込まれる可能性がある。しかしながら、ガイド部材２９の孔が一端２９ａから他端２９ｂまでに間において終端することによって、第２部分２７ｂの第２１端面部２７ｂａに広がった樹脂がガイド部材２９の孔２９ｃを介して第２２端面部２７ｂｂに到達することを避けることができる。
【００７２】
ガイド部材２９は、ガイドパイプ３７及び封止部材３９を含むことができる。
ガイドパイプ３７は、一端３７ａ、他端３７ｂ及び一端３７ａから他端３７ｂまで延在する貫通孔３７ｃを有する。封止部材３９は、ガイドパイプ３７の貫通孔３７ｃを塞ぐ。封止部材３９は、例えば樹脂体、粘性の高い熱硬化性、または紫外線硬化性のエポキシ系接着剤等であることができる。このガイド部材２９における孔は、貫通孔３７ｃを塞ぐ封止部材３９によって終端される。より具体的には、紫外線硬化剤を含む樹脂体をガイドパイプ３７の他端３７ｂに塗布してこの樹脂体を硬化させることにより、ガイドパイプ３７の貫通孔３７ｃを塞ぐことができる。
ガイドパイプ３７の貫通孔３７ｃ外径：１．０ｍｍ。
ガイドパイプ３７の貫通孔３７ｃ内径：０．７ｍｍ。
【００７３】
ホルダ２７はガイド部材２９を第２孔２７ｅに固定すると共に封止する固定部材４１を更に備えることができる。固定部材４１は、例えば樹脂材であることができ、具体的には熱硬化性、または紫外線硬化性のエポキシ系接着剤等である。固定部材４１は、ガイド部材２９をホルダ２７の第２孔２７ｅに隙間無くしっかりと固定することを確実にする。
【００７４】
図９は、本実施形態に係る光通信装置を模式的に示す図面である。光通信装置３１ｃは、本実施形態に係るファイバスタブ１１ｃと、シリコンフォトニクス素子ＳｉＰＨＤといった光集積素子と、樹脂体３３とを備える。ファイバスタブ１１ｃは、接着のための樹脂体３３を介して光集積素子に固定される。光通信装置３１ｃによれば、光集積素子をファイバスタブの光ファイバに光学的に結合させるための樹脂体３３によって、ファイバスタブと光コネクタとの光結合が攪乱されることを避けることができる。シリコンフォトニクス素子ＳｉＰＨＤは、図７を参照しながら、光集積素子の一例として既に説明された。
【００７５】
図１０及び図１１を参照しながら、光通信装置３１ａを作製する方法を説明する。図１０の（ａ）部に示されるように、ピグテール型の光コネクタＣＯＮ、ファイバスタブ１１ａ、及びシリコンフォトニクス素子ＳｉＰＨＤを準備する。ピグテール型の光コネクタＣＯＮをガイド孔付きファイバアレイブロックに置き換えることができる。ガイドピンＰＧを光コネクタＣＯＮ並びにファイバスタブ１１ａの第２孔１３ｅ及び第３孔１３ｆへ差し込むと共に、光コネクタＣＯＮをファイバスタブ１１ａに接続する。
【００７６】
図１０の（ｂ）部に示されるように、互いに接続されたファイバスタブ１１ａ及び光コネクタＣＯＮの予備的な位置合わせをシリコンフォトニクス素子ＳｉＰＨＤにする。この位置合わせは、例えば目視により行われる。
【００７７】
図１０の（ｃ）部に示されるように、光コネクタＣＯＮへ光を入射すると共に、シリコンフォトニクス素子ＳｉＰＨＤを介して出力された光をモニターしながら、ファイバスタブ１１ａの複数の光ファイバ１５をシリコンフォトニクス素子ＳｉＰＨＤの光カプラに一括して調芯する。
【００７８】
図１１の（ａ）部に示されるように、ファイバスタブ１１ａとシリコンフォトニクス素子ＳｉＰＨＤとの間に接着剤を設けるために紫外線硬化剤を含む樹脂を塗布すると共に、ファイバスタブ１１ａとシリコンフォトニクス素子ＳｉＰＨＤとのアクティブ調芯を再び行う。塗布された樹脂は、調芯中にガイドピンＰＧの側面を介してファイバスタブ１１ａの第２１端面部１３ｂａ及び第３１端面部１３ｃａに到達することはない。アクティブ調芯によって、ファイバスタブ１１ａのファイバアレイを一括で調芯する。この調芯の後に、紫外線を樹脂に照射して、ファイバスタブ１１ａをシリコンフォトニクス素子ＳｉＰＨＤに固定して、光通信装置３１ａを作製する。
【００７９】
図１１の（ｂ）部に示されるように、固定の後に、光コネクタＣＯＮ及びガイドピンＰＧを光通信装置３１ａから取り外す。取り外しが完了すると、図１１の（ｃ）部に示されるように、光通信装置３１ａが得られる。光通信装置３１ａにおけるファイバスタブ１１ａの第２端面１３ｂｆは、ファイバスタブ１１ａとシリコンフォトニクス素子ＳｉＰＨＤとの固定に用いた接着用の樹脂によって汚染されていない。
【００８０】
図１２、図１３及び図１４を参照しながら、光通信装置３１ｂを作製する方法を説明する。図１２の（ａ）部に示されるように、ピグテール型の光コネクタＣＯＮ、ガイドピンＰＧ、ファイバスタブ１１ｂ、及びシリコンフォトニクス素子ＳｉＰＨＤを準備する。ファイバスタブ１１ｂの第２孔１３ｅ及び第３孔１３ｆに、紫外線硬化剤を含む接着材を塗布すると共に、ファイバスタブ１１ｂの第２孔１３ｅ及び第３孔１３ｆにガイドピンＰＧを差し込む。
【００８１】
本実施例では、図１２の（ｂ）部に示されるように、塗布された接着材に紫外線ＵＶを照射して、ガイドピンＰＧをファイバスタブ１１ｂに固定する。この固定のための樹脂材は、ファイバスタブ１１ｂの第２端面１３ｂｆに到達しない。
【００８２】
図１２の（ｃ）部に示されるように、ファイバスタブに固定されたガイドピンＰＧに光コネクタＣＯＮを差し込み、光コネクタＣＯＮをファイバスタブに光学的に接続する。
【００８３】
図１３の（ａ）部に示されるように、互いに接続されたファイバスタブ１１ｂ及び光コネクタＣＯＮの予備的な位置合わせをシリコンフォトニクス素子ＳｉＰＨＤにする。この位置合わせは、例えば目視により行われる。
【００８４】
図１３の（ｂ）部に示されるように、光コネクタＣＯＮへ光を入射すると共に、シリコンフォトニクス素子ＳｉＰＨＤを介して出力された光をモニターしながら、ファイバスタブ１１ｂの複数の光ファイバ１５をシリコンフォトニクス素子ＳｉＰＨＤの光カプラに一括して調芯する。
【００８５】
図１４の（ａ）部に示されるように、紫外線硬化型の接着剤（樹脂）を塗布してファイバスタブ１１ｂとシリコンフォトニクス素子ＳｉＰＨＤとの間に樹脂を設けると共に、ファイバスタブ１１ｂとシリコンフォトニクス素子ＳｉＰＨＤとのアクティブ調芯を再び行う。塗布された樹脂は、調芯中にガイドピンＰＧの側面を介してファイバスタブ１１ｂの第１２端面部１３ａｂに到達することはない。アクティブ調芯によって、ファイバスタブ１１ｂのファイバアレイを一括で調芯する。この調芯の後に、紫外線を樹脂に照射して、ファイバスタブ１１ｂをシリコンフォトニクス素子ＳｉＰＨＤに固定して、光通信装置３１ｂを作製する。
【００８６】
図１４の（ｂ）部に示されるように、固定の後に、光コネクタＣＯＮを光通信装置３１ｂから取り外す。取り外しが完了すると、図１４の（ｃ）部に示されるように、光通信装置３１ｂが得られる。光通信装置３１ｂにおけるファイバスタブ１１ｂの第２端面１３ｂｆは、ファイバスタブ１１ｂとシリコンフォトニクス素子ＳｉＰＨＤとの固定に用いた接着用の樹脂によって汚染されていない。光通信装置３１ｂは、ファイバスタブ１１ｂ、シリコンフォトニクス素子ＳｉＰＨＤ、及びガイドピンＰＧを含む。
【００８７】
図１５及び図１６を参照しながら、光通信装置３１ｃを作製する方法を説明する。図１５の（ａ）部に示されるように、ピグテール型の光コネクタＣＯＮ、ファイバスタブ１１ｃ、及びシリコンフォトニクス素子ＳｉＰＨＤを準備する。ピグテール型の光コネクタＣＯＮをガイド孔付きファイバアレイブロックに置き換えることができる。ガイドピンＰＧを光コネクタＣＯＮ並びにファイバスタブ１１ｃの第２孔１３ｅ及び第３孔１３ｆのガイド部材２９内に差し込むと共に、光コネクタＣＯＮをファイバスタブ１１ｃに接続する。
【００８８】
図１５の（ｂ）部に示されるように、互いに接続されたファイバスタブ１１ｃ及び光コネクタＣＯＮの予備的な位置合わせをシリコンフォトニクス素子ＳｉＰＨＤにする。この位置合わせは、例えば目視により行われる。
【００８９】
図１５の（ｃ）部に示されるように、光コネクタＣＯＮへ光を入射すると共に、シリコンフォトニクス素子ＳｉＰＨＤを介して出力された光をモニターしながら、ファイバスタブ１１ｃの複数の光ファイバ１５をシリコンフォトニクス素子ＳｉＰＨＤの光カプラに一括して調芯する。
【００９０】
図１６の（ａ）部に示されるように、ファイバスタブ１１ｃとシリコンフォトニクス素子ＳｉＰＨＤとの間に位置するように紫外線硬化型の接着剤（樹脂）を形成すると共にファイバスタブ１１ｃとシリコンフォトニクス素子ＳｉＰＨＤとの間のアクティブ調芯を再び行う。塗布された樹脂は、調芯中にガイドピンＰＧの側面を介してファイバスタブ１１ｃの第１２端面部１３ａｂに到達することはない。アクティブ調芯によって、ファイバスタブ１１ｃのファイバアレイを一括で調芯する。この調芯の後に、紫外線を樹脂に照射して、ファイバスタブ１１ｃをシリコンフォトニクス素子ＳｉＰＨＤに固定して、光通信装置３１ｃを作製する。
【００９１】
図１６の（ｂ）部に示されるように、固定の後に、光コネクタ及びガイドピンＰＧを光通信装置３１ｃから取り外す。取り外しが完了すると、図１６の（ｃ）部に示されるように、光通信装置３１ｃが得られる。光通信装置３１ｃにおけるファイバスタブ１１ｂの第２端面１３ｂｆは、ファイバスタブ１１ｃとシリコンフォトニクス素子ＳｉＰＨＤとの固定に用いた接着用の樹脂によって汚染されていない。
【００９２】
好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【産業上の利用可能性】
【００９３】
以上説明したように、本実施形態によれば、一端面から他端面への樹脂の回り込みを低減できるファイバスタブが提供され、また、このファイバスタブを含む光通信装置が提供される。
【符号の説明】
【００９４】
１１ａ…ファイバスタブ、１１ｂ…ファイバスタブ、１１ｃ…ファイバスタブ、１３…ホルダ、１５…光ファイバ、１７…第１１部材、１９…第１２部材、２３…第２１部材、２５…第２２部材、２７…ホルダ、２９…ガイド部材、３１ａ…光通信装置、３１ｂ…光通信装置、３１ｃ…光通信装置、３３…樹脂体。
【図１】
0006593031.tif 000002
【図２】
0006593031.tif 000003
【図３】
0006593031.tif 000004
【図４】
0006593031.tif 000005
【図５】
0006593031.tif 000006
【図６】
0006593031.tif 000007
【図７】
0006593031.tif 000008
【図８】
0006593031.tif 000009
【図９】
0006593031.tif 000010
【図１０】
0006593031.tif 000011
【図１１】
0006593031.tif 000012
【図１２】
0006593031.tif 000013
【図１３】
0006593031.tif 000014
【図１４】
0006593031.tif 000015
【図１５】
0006593031.tif 000016
【図１６】
0006593031.tif 000017